(57)【要約】      （修正有）【課題】被清掃物の損傷を防止して簡単に清掃を行うことのできる清掃用具を提供する。【解決手段】被清掃物の表面に付着した異物を除去する清掃用具１であって、下端に開口部２ａを有する筒状の外筒２と、外筒２に内嵌して軸方向に可動のピストン４と、ピストン４を上方に可動する付勢手段７と、押圧によりピストン４を押し下げる押圧部８と、押圧部８により押し下げられたピストン４を係止する係止部２ｃと、外筒３内に可動に配されるとともに軸方向に貫通した貫通孔５ａを有して開口部２ａから突出するノズル５とを備え、ノズル５の押圧によってピストン４と係止部２ｃとの係合を解除してピストン４が上昇し、貫通孔５ａから吸気されるようにした。【選択図】図４
2011245438.tif 000002
【特許請求の範囲】
【請求項１】
被清掃物の表面に付着した異物を除去する清掃用具であって、下端に開口部を有する筒状の外筒と、前記外筒に内嵌して軸方向に可動のピストンと、前記ピストンを上方に付勢する付勢手段と、押圧により前記ピストンを押し下げる押圧部と、前記押圧部により押し下げられた前記ピストンを係止する係止部と、前記外筒内に可動に配されるとともに軸方向に貫通した貫通孔を有して前記開口部から突出するノズルとを備え、前記ノズルの先端の押圧によって前記ピストンと前記係止部との係合を解除して前記ピストンが上昇し、前記貫通孔から吸気されることを特徴とする清掃用具。
【請求項２】
前記貫通孔に通気性の軟質部材から成る清掃体を配したことを特徴とする請求項１に記載の清掃用具。
【請求項３】
前記清掃体が前記貫通孔から突出することを特徴とする請求項２に記載の清掃用具。
【請求項４】
前記清掃体の先端が曲面から成ることを特徴とする請求項３に記載の清掃用具。
【請求項５】
前記ピストンの下面に取り付けられた軟質部材から成る清掃体を設け、前記ピストンを前記係止部に係止した際に前記清掃体が前記貫通孔に挿通されることを特徴とする請求項１に記載の清掃用具。
【請求項６】
前記貫通孔の周壁の下端面を凹凸に形成したことを特徴とする請求項２〜請求項５のいずれかに記載の清掃用具。
【請求項７】
前記貫通孔が軸方向に延び、前記清掃体が柱状に形成されることを特徴とする請求項２〜請求項６のいずれかに記載の清掃用具。
【請求項８】
前記係止部を前記外筒の内壁に突設するとともに前記係止部に係合する係合爪を前記ピストンに設け、前記係合爪が前記係止部に係合した際に前記ノズルに近接することを特徴とする請求項１〜請求項７のいずれかに記載の清掃用具。
【発明の詳細な説明】
【技術分野】
【０００１】
本発明は、被清掃物の表面に付着した異物を除去する清掃用具に関する。
【背景技術】
【０００２】
コロナ放電によって空気中にイオンを発生するイオン発生装置を搭載し、殺菌効果やリラクゼーション効果を得ることができる空気清浄機や、静電気を中和する除電器等の機器が知られている。
【０００３】
コロナ放電は針状の放電電極に高電圧を印加して行われ、空気中の水分子等を分解してイオンを発生する。この時、帯電した塵埃等の異物が放電電極の先端に吸着する場合がある。放電電極の先端に異物が堆積するとコロナ放電が発生しにくくなるため、定期的に放電電極の針先を清掃することが望ましい。
【０００４】
特許文献１には針状の放電電極を清掃する清掃体を備えたイオン発生装置が開示される。このイオン発生装置は可動のブラシ状の清掃体を備え、使用者の操作によって定期的に清掃体と放電電極とを摺動させる。これにより、放電電極の先端に付着した異物が除去され、コロナ放電を長期間安定して発生させることができる。
【先行技術文献】
【特許文献】
【０００５】
【特許文献１】特開２０１０−２７３９０号公報（第５頁−第１５頁、第３図）
【発明の概要】
【発明が解決しようとする課題】
【０００６】
しかしながら、上記従来のイオン発生装置によると、清掃体を収納するスペースが必要となるため、イオン発生装置を搭載した装置が大型になる問題があった。また、清掃体の劣化状態を把握することが困難になるとともに、劣化時の交換のために装置を分解する必要があるため利便性が悪い問題もあった。
【０００７】
一方で、作業者が把持した綿棒等の清掃用具を放電電極に接触させて手動で放電電極の異物を除去し、上記の問題を解消することができる。しかしながら、放電電極の立設方向に垂直な方向に強い力で清掃用具を摺動させた場合に放電電極が損傷する問題があった。
【０００８】
また、放電電極以外の被清掃物の表面に付着した異物を除去する場合も同様に、清掃用具と被清掃物との摺動によって被清掃物が損傷する問題があった。
【０００９】
本発明は、被清掃物の損傷を防止して簡単に清掃を行うことのできる清掃用具を提供することを目的とする。
【課題を解決するための手段】
【００１０】
上記目的を達成するために本発明は、被清掃物の表面に付着した異物を除去する清掃用具であって、下端に開口部を有する筒状の外筒と、前記外筒に内嵌して軸方向に可動のピストンと、前記ピストンを上方に付勢する付勢手段と、押圧により前記ピストンを押し下げる押圧部と、前記押圧部により押し下げられた前記ピストンを係止する係止部と、前記外筒内に可動に配されるとともに軸方向に貫通した貫通孔を有して前記開口部から突出するノズルとを備え、前記ノズルの先端の押圧によって前記ピストンと前記係止部との係合を解除して前記ピストンが上昇し、前記貫通孔から吸気されることを特徴としている。
【００１１】
この構成によると、押圧部によりピストンを押圧すると係止部によりピストンが係止される。被清掃物またはその周囲にノズルの先端を当接して押圧すると、ピストンと係止部との係合が解除される。これにより、ピストンが付勢手段の付勢により上昇してノズルの貫通孔から吸気され、被清掃物に付着した異物が貫通孔に吸引される。貫通孔から吸引された異物は外筒内に堆積する。
【００１２】
また本発明は、上記構成の清掃用具において、前記貫通孔に通気性の軟質部材から成る清掃体を配したことを特徴としている。この構成によると、針状の被清掃物を貫通孔に挿入すると、清掃体が被清掃物に付着した異物に接触して被清掃物から異物が剥離する。被清掃物の根元の周囲にノズルの先端を当接して押圧するとピストンが上昇し、剥離した異物が貫通孔から吸引される。貫通孔から吸引された異物は通気性の清掃体を通過して外筒内に堆積する。また、一部の異物は清掃体に保持される。被清掃物の根元の周囲に清掃体の先端が当接し、清掃体を介してノズルを押圧してもよい。
【００１３】
また本発明は、上記構成の清掃用具において、前記清掃体が前記貫通孔から突出することを特徴としている。この構成によると、針状の被清掃物の根元に付着した異物が清掃体と接触して剥離し、貫通孔から吸引される。
【００１４】
また本発明は、上記構成の清掃用具において、前記清掃体の先端が曲面から成ることを特徴としている。この構成によると、清掃体の先端の周囲から貫通孔に円滑に吸気される。
【００１５】
また本発明は、上記構成の清掃用具において、前記ピストンの下面に取り付けられた軟質部材から成る清掃体を設け、前記ピストンを前記係止部に係止した際に前記清掃体が前記貫通孔に挿通されることを特徴としている。この構成によると、押圧部によりピストンを押圧すると係止部によりピストンが係止され、清掃体が貫通孔内に配される。針状の被清掃物を貫通孔に挿入すると、清掃体が被清掃物に付着した異物に接触して被清掃物から異物が剥離する。被清掃物の根元の周囲にノズルの先端を当接して押圧するとピストンとともに清掃体が上昇し、剥離した異物が貫通孔から吸引されて外筒内に堆積する。
【００１６】
また本発明は、上記構成の清掃用具において、貫通孔の周壁の下端面を凹凸に形成したことを特徴としている。この構成によると、ノズルの押圧によってノズルの周囲から貫通孔の周壁に設けた凹凸を介して貫通孔に円滑に吸気される。
【００１７】
また本発明は、上記構成の清掃用具において、前記貫通孔が軸方向に延び、前記清掃体が柱状に形成されることを特徴としている。この構成によると、針状の被清掃物を貫通孔に挿入すると被清掃物が清掃体に埋没し、被清掃物に付着した異物に清掃体が接触して異物を剥離させる。
【００１８】
また本発明は、上記構成の清掃用具において、前記係止部を前記外筒の内壁に突設するとともに前記係止部に係合する係合爪を前記ピストンに設け、前記係合爪が前記係止部に係合した際に前記ノズルに近接することを特徴としている。この構成によると、押圧部によりピストンを押圧すると係合爪が係止部に係合してピストンが係止される。この時、ノズルが係合爪に近接し、ノズルが押圧されると係合爪と係止部との係合が解除される。
【発明の効果】
【００１９】
本発明によると、ノズルの押圧によって外筒内に配されるピストンと係止部との係合を解除してピストンが上昇し、貫通孔から吸気されるので、被清掃物に付着した異物を吸引して容易に除去することができる。従って、被清掃物と清掃用具との摺動による被清掃物の損傷を防止することができる。
【図面の簡単な説明】
【００２０】
【図１】イオン発生装置を示す斜視図
【図２】イオン発生装置を示す正面断面図
【図３】本発明の第１実施形態の清掃用具を示す正面図
【図４】本発明の第１実施形態の清掃用具を示す正面断面図
【図５】本発明の第１実施形態の清掃用具のピストンを下げた状態を示す正面断面図
【図６】本発明の第１実施形態の清掃用具による清掃時のピストンと係止部との係合が解除される状態を示す正面断面図
【図７】本発明の第１実施形態の清掃用具による清掃時のピストンが係合解除により上昇した状態を示す正面断面図
【図８】本発明の第２実施形態の清掃用具を示す正面断面図
【図９】本発明の第３実施形態の清掃用具を示す正面断面図
【図１０】本発明の第３実施形態の清掃用具のピストンを下げた状態を示す正面断面図
【図１１】本発明の第３実施形態の清掃用具による清掃時のピストンと係止部との係合が解除される状態を示す正面断面図
【図１２】本発明の第３実施形態の清掃用具による清掃時のピストンが係合解除により上昇した状態を示す正面断面図
【発明を実施するための形態】
【００２１】
以下に本発明の実施形態を図面を参照して説明する。図１、図２は被清掃物の一例である放電電極を有したイオン発生装置の斜視図及び正面断面図を示している。イオン発生装置２０は空気清浄機等に搭載され、着脱自在に設けられる。イオン発生装置２０はイオンを発生するイオン発生素子２１を備え、イオン発生素子２１の周囲が樹脂成形品のカバー２４により覆われる。
【００２２】
イオン発生素子２１は基板２５上に設けた複数の放電電極２２と誘導電極２３とを有している。放電電極２２は針状に形成され、基板２５上に立設される。誘導電極２３は金属板により形成され、放電電極２２を挿通する開口部を形成して放電電極２２の周囲に環状に配される。カバー２４には放電電極２２を露出する孔部２４ａが開口する。カバー２４の上面は放電電極２２の先端から所定の距離だけ離れ、孔部２４ａは誘導電極２３の開口径よりも小径に形成される。これにより、放電電極２２及び誘導電極２３に対する手指等の接触が防止される。
【００２３】
放電電極２２と誘導電極２３との間には交流波形またはインパルス波形から成る電圧が印加され、針状の放電電極２２の先端にコロナ放電が発生する。一方の放電電極２２には正電圧が印加され、電離により発生するイオンが空気中の水分と結合して主としてＨ+（Ｈ2Ｏ）ｍから成る電荷が正のクラスタイオンが形成される。他方の放電電極２２には負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００２４】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。
【００２５】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２６】
従って、プラスイオン及びマイナスイオンを発生して室内の殺菌や臭い除去を行うことができる。また、放電電極２２からマイナスイオンのみを発生してリラクゼーション効果を得ることも可能である。
【００２７】
放電電極２２には帯電した塵埃等の異物Ｗが吸着する場合がある。図３、図４は放電電極２２の異物Ｗを除去する清掃用具の正面図及び正面断面図を示している。清掃用具１は筒状の外筒２を有し、外筒２の上端にはキャップ３が螺設して被嵌される。外筒２の内壁の下部には環状の係止部２ｃが突設される。外筒２の下端には縮径された突出部２ｂが下方に突出して設けられ、突出部２ｂには軸方向に貫通する開口部２ａが開口する。
【００２８】
キャップ３には中心部に挿通孔３ａが設けられるとともに、挿通孔３ａの外周側に小孔から成る通気孔３ｂが設けられる。
【００２９】
外筒３には軸方向に可動のピストン４が内嵌される。ピストン４は係止部２ｃの上方に配され、挿通孔３ａに挿通されるロッド４ａが上方に延びて形成される。ロッド４ａの上端には作業者が手で押圧する押圧部８が設けられる。押圧部８とキャップ３との間には圧縮バネ７が配される。圧縮バネ７によってピストン４を上方に付勢する付勢手段が構成される。また、ピストン４の下面には径方向に弾性変形する複数の係合爪４ｂが設けられる。係合爪４ｂはピストン４が下降した際に係止部２ｃに係合する。
【００３０】
外筒３内の係止部２ｃよりも下方には軸方向に可動のノズル５が配される。尚、図示しないが、外筒３は係止部２ｃよりも下部が分離され、ノズル５を挿入した後に連結される。ノズル５は外筒３の内壁に嵌合し、下方に延びる嵌挿部５ｃが開口部２ａに嵌挿される。ノズル５の嵌挿部５ｃには軸方向に貫通する貫通孔５ａが設けられる。貫通孔５ａの周壁を形成する嵌挿部５ｃの下端面は周方向に所定間隔で設けた切欠き部５ｂによって凹凸に形成される。
【００３１】
後述するように、貫通孔５ａには被清掃物である放電電極２２（図２参照）が挿通される。一般的なイオン発生装置２０の孔部２４ａ（図２参照）の直径はφ８ｍｍ〜φ１５ｍｍ程度であるため、ノズル５の嵌挿部５ｃの外径は孔部２４ａに挿入可能な６ｍｍ程度に形成される。
【００３２】
貫通孔５ａ内には清掃体６が固着される。清掃体６は通気性を有する軟質部材から成り、例えば、スポンジ状の発泡金属やスポンジ状の発泡樹脂等の多孔質体により形成される。貫通孔５ａが軸方向に延びて形成されるため、清掃体６は柱状に形成される。また、清掃体６は貫通孔５ａの先端から僅かに突出して設けられる。放電電極２２（図２参照）の長さが一般に５〜１０ｍｍ程度であるため、清掃体６の軸方向の長さは放電電極２２よりも長い約１２ｍｍ以上に形成される。これにより、放電電極２２全体を清掃体６に埋没させることができる。
【００３３】
上記構成の清掃用具１において、圧縮バネ７の付勢力に抗して押圧部８を押圧すると、ピストン４が押し下げられる。この時、外筒３内には挿通孔３ａ及び通気孔３ｂから外気が流入する。そして、図５に示すようにピストン４の係合爪４ｂが係止部２ｃに係合する。この時、ノズル５は外筒３の下端に配され、ノズル５の上端面は係合爪４ｂに近接する。
【００３４】
係合爪４ｂと係止部２ｃとが係合した状態でノズル５の嵌挿部５ｃがイオン発生装置２０の孔部２４ａ（図２参照）に挿入され、放電電極２２（図２参照）が貫通孔５ａに挿通される。これにより、放電電極２２に付着した異物Ｗが清掃体６と接触して剥離し、放電電極２２の設置面に落下する。また、一部の異物Ｗは多孔質の清掃体６に保持される。
【００３５】
図６に示すようにノズル５の先端が放電電極２２の根元の周囲に当接して押圧されると、ノズル５が上昇する。尚、清掃体６の弾性係数が大きい場合は清掃体６の先端が放電電極２２の根元の周囲に当接し、清掃体６を介してノズル５が押圧される。ノズル５は上昇によって上端が係合爪４ｂの外周側に侵入し、係合爪４ｂが内側に弾性変形する。これにより、作業者の手指による特別な操作を伴うことなく係合爪４ｂと係止部２ｃとの係合が解除される。
【００３６】
係合爪４ｂと係止部２ｃとの係合解除によって図７に示すようにピストン４が圧縮バネ７の付勢により上昇する。ピストン４の上昇によってピストン４の上方の空気は挿通孔３ａ及び通気孔３ｂから排気され、ピストン４の下方には嵌挿部５ｃの周囲の空気が貫通孔５ａから吸気されて流入する。この時、放電電極２２の設置面上の異物Ｗは空気とともに貫通孔５ａに吸引され、通気性の清掃体６を通過して外筒３内に堆積する。また、一部の異物Ｗは多孔質の清掃体６に保持される。これにより、放電電極２２に付着した異物Ｗを除去することができる。
【００３７】
尚、清掃体６が貫通孔５ａの先端から突出するので、放電電極２２の根元及びその周囲に付着した異物Ｗを清掃体６の先端により剥離して吸引することができる。また、切欠き部５ｂによって嵌挿部５ｃの周囲から貫通孔５ａに円滑に空気を流入させることができる。
【００３８】
本実施形態によると、ノズル５の押圧によって外筒３内のピストン４が係止部２ｃとの係合を解除されて上昇し、貫通孔５ａから吸気されるので、ピストン４と係止部２ｃとの係合を解除するための手指による操作を伴わずに、被清掃物である放電電極２２に付着した異物Ｗを吸引して容易に除去することができる。従って、清掃用具１が放電電極２２の立設方向に垂直な方向に摺動することによる放電電極２２の損傷を防止することができる。
【００３９】
また、清掃体６が貫通孔５ａの先端から突出するので、放電電極２２の根元やその周囲に付着した異物Ｗを清掃体６の先端により剥離して吸引することができる。従って、異物Ｗをより確実に除去することができる。
【００４０】
また、貫通孔５ａの周壁を形成する嵌挿部５ｃの下端面を切欠き部５ｂにより凹凸に形成したので、ノズル５の周囲から切欠き部５ｂによる凹凸を介して貫通孔５ａに円滑に吸気することができる。従って、異物Ｗをより確実に除去することができる。
【００４１】
また、貫通孔５ａが軸方向に延びて清掃体６が柱状に形成されるので、針状の放電電極２２全体を清掃体６に埋没させることができる。従って、放電電極２２全体の異物Ｗをより確実に除去することができる。
【００４２】
また、ピストン４の係合爪４ｂが係止部２ｃに係合した際にノズル５に近接するので、ノズル５の先端の押圧による移動距離を小さくして係合爪４ｂと係止部２ｃとの係合を解除することができる。従って、清掃用具１の利便性を向上することができる。
【００４３】
次に、図８は第２実施形態の清掃用具１をの正面断面図を示している。説明の便宜上、前述の図１〜図７に示す第１実施形態と同一の部分は同一の符号を付している。本実施形態は貫通孔５ａから突出する清掃体６の先端が曲面に形成される。その他の部分は第１実施形態と同一である。
【００４４】
清掃体６の弾性係数が大きい場合に清掃体６の先端が放電電極２２（図６参照）の根元の周囲に当接し、清掃体６を介してノズル５が押圧される。これにより、係合爪４ｂと係止部２ｃとの係合が解除され、ノズル５の周囲から切欠き部５ｂを介して貫通孔５ａに吸気されるとともに清掃体６の先端の周囲から貫通孔５ａに吸気される。
【００４５】
本実施形態によると、第１実施形態と同様の効果を得ることができる。加えて、清掃体の先端が曲面から成るので、清掃体６の先端の周囲から貫通孔５ａに円滑に吸気することができる。従って、異物Ｗをより確実に除去することができる。
【００４６】
次に、図９は第３実施形態の清掃用具１をの正面断面図を示している。説明の便宜上、前述の図１〜図７に示す第１実施形態と同一の部分は同一の符号を付している。本実施形態は清掃体６がピストン４に取り付けられ、ピストン４とともに軸方向に可動になっている。その他の部分は第１実施形態と同一である。
【００４７】
ピストン４の下面の中央部には筒状の保持部４ｃが突設される。清掃体６は保持部４ｃに嵌合してピストン４に取り付けられる。また、清掃体６は貫通孔５ａに嵌合する柱状に形成される。尚、本実施形態の清掃体６は通気性がなくてもよく、軟質部材であればよい。例えば、スポンジ状の発泡金属、スポンジ状の発泡樹脂、可撓性の軟質樹脂、ピストン４に植設したブラシ状の樹脂等により形成することができる。
【００４８】
上記構成の清掃用具１において、押圧部８を押圧するとピストン４が押し下げられる。これにより、図１０に示すように、清掃体６が貫通孔５ａに挿通され、ピストン４の係合爪４ｂが係止部２ｃに係合する。この時、ノズル５は係合爪４ｂにより押し下げられて外筒３の下端に配され、ノズル５の上端面は係合爪４ｂに近接する。
【００４９】
係合爪４ｂと係止部２ｃとが係合した状態でノズル５の嵌挿部５ｃがイオン発生装置２０の孔部２４ａ（図２参照）に挿入され、放電電極２２（図２参照）が貫通孔５ａに挿通される。これにより、放電電極２２に付着した異物Ｗが清掃体６と接触して剥離し、放電電極２２の設置面に落下する。また、一部の異物Ｗは多孔質の清掃体６に保持される。
【００５０】
そして、図１１に示すようにノズル５の先端が放電電極２２の根元の周囲に当接して押圧されると、ノズル５が上昇する。ノズル５は上昇によって上端が係合爪４ｂの外周側に侵入し、係合爪４ｂが内側に弾性変形する。これにより、係合爪４ｂと係止部２ｃとの係合が解除される。
【００５１】
係合爪４ｂと係止部２ｃとの係合解除によって図１２に示すようにピストン４が清掃体６と一体に圧縮バネ７の付勢により上昇する。ピストン４の上昇によってピストン４の上方の空気は挿通孔３ａ及び通気孔３ｂから排気され、ピストン４の下方には嵌挿部５ｃの周囲の空気が貫通孔５ａから吸気されて流入する。この時、放電電極２２の設置面上の異物Ｗは空気とともに貫通孔５ａに吸引され、外筒３内に堆積する。また、一部の異物Ｗは清掃体６に保持される。これにより、放電電極２２に付着した異物Ｗを除去することができる。
【００５２】
本実施形態によると、第１実施形態と同様の効果を得ることができる。加えて、清掃体６がピストン４の下面に取り付けられ、ピストン４を係止部２ｃに係止した際に清掃体６が貫通孔５ａに挿通される。これにより、清掃体６は貫通孔５ａ内に配される状態と貫通孔５ａよりも上方に配される状態との間を移動する。このため、清掃体６によって被清掃物から剥離した異物Ｗをより簡単に貫通孔５ａを介して外筒３内に吸引することができる。従って、異物Ｗをより確実に回収することができる。
【００５３】
第１〜第３実施形態において、清掃用具１により清掃される被清掃物が針状の放電電極２２を例に説明しているが、被清掃物はこれに限られない。異物Ｗが付着した針状或いは非針状の被清掃物に対して清掃体６が被清掃物または被清掃物の周囲に接触して貫通孔５ａから吸気することにより、被清掃物に付着した異物Ｗを除去することができる。
【００５４】
また、清掃体６を省き、貫通孔５ａの吸気のみによって被清掃物に付着した異物Ｗを剥離して外筒３内に吸引してもよい。
【産業上の利用可能性】
【００５５】
本発明によると、放電電極等の被清掃物に付着した異物を除去する清掃用具に利用することができる。
【符号の説明】
【００５６】
１    清掃用具
２    外筒
２ａ  開口部
２ｂ  突出部
２ｃ  係止部
３    キャップ
４    ピストン
４ａ  ロッド
４ｂ  係合爪
５    ノズル
５ａ  貫通孔
５ｂ  切欠き部
５ｃ  嵌挿部
６    清掃体
７    圧縮バネ
８    押圧部
２０    イオン発生装置
２１    イオン発生素子
２２    放電電極
２３    誘導電極
２４    カバー
２４ａ  孔部
【図１】
2011245438.tif 000003
【図２】
2011245438.tif 000004
【図３】
2011245438.tif 000005
【図４】
2011245438.tif 000006
【図５】
2011245438.tif 000007
【図６】
2011245438.tif 000008
【図７】
2011245438.tif 000009
【図８】
2011245438.tif 000010
【図９】
2011245438.tif 000011
【図１０】
2011245438.tif 000012
【図１１】
2011245438.tif 000013
【図１２】
2011245438.tif 000014